(57)【要約】【課題】  容器の中に他の容器が収納されている二つの容器の組合せであって、開封後に内側の容器が外側の容器から出ることを防止するとともに、コストを低減した容器の組合せを提供する。【解決手段】  略直方体形状の第一の容器１０と、第一の容器１０に収納される第二の容器２０と、からなり、第二の容器２０は、少なくともその一面に凹部２１を有し、第一の容器１０は、最も大きな面１０Ａ、１０Ｂの少なくともいずれか一方１０Ａが、当該面１０Ａの一部を内側に折り込むための切り込み部１１を有し、当該折り込まれた折り込み部１２が突起として第二の容器２０の凹部２１に係合することを特徴とする第一の容器１０と第二の容器２０との組合せにより、上記課題を解決する。【選択図】      図１
2006151424.tif 000002
【特許請求の範囲】
【請求項１】
略直方体形状の第一の容器と、前記第一の容器に収納される第二の容器と、からなり、
前記第二の容器は、少なくともその一面に凹部を有し、
前記第一の容器は、最も大きな面の少なくともいずれか一方が、当該面の一部を内側に折り込むための切り込み部を有し、当該折り込まれた折り込み部が突起として前記第二の容器の凹部に係合することを特徴とする第一の容器と第二の容器との組合せ。
【請求項２】
前記第二の容器は、当該第二の容器の長手方向に対して交差する方向に前記凹部を有し、
前記第一の容器における前記折り込み部は、前記第一容器の長手方向に対して交差する方向における両端を含まない位置に設けられることを特徴とする請求項１に記載の第一の容器と第二の容器との組合せ。
【請求項３】
前記第一の容器は、最も小さな面のいずれか一方側、または、二番目に小さな面のいずれか一方側が開封可能であり、
前記第一の容器における前記折り込み部は、前記第一の容器に前記第二の容器を収納した際に、開封可能とされた側に最も近い前記第二の容器の凹部と係合する位置に設けられることを特徴とする請求項１または請求項２に記載の第一の容器と第二の容器との組合せ。
【請求項４】
前記第一の容器は、最も小さな面のいずれか一方側、または、二番目に小さな面のいずれか一方側が開封可能であり、
前記第一の容器は、開封可能とされた側に対して逆向きに凸である形状の前記切り込み部を有していることを特徴とする請求項１乃至請求項３のいずれか一項に記載の第一の容器と第二の容器との組合せ。
【請求項５】
少なくとも一面に凹部を有する小型容器を収納する略直方体形状の容器であって、
最も大きな面の少なくともいずれか一方は、当該面の一部を内側に折り込むための切り込み部を有し、当該折り込まれた折り込み部が突起として前記小型容器の前記凹部に係合することを特徴とする容器。
【発明の詳細な説明】
【技術分野】
【０００１】
本発明は、略直方体形状である第一の容器と当該第一の容器に収納される第二の容器の組合せ、および、その外側の第一の容器に関するものである。
【背景技術】
【０００２】
ガムや飴等の菓子を収納する容器として、プラスチックシートに凹部を設けて当該凹部に菓子を収納し、当該凹部にシート状の蓋を設けた容器が知られている。このシート状の蓋は、通常、金属、プラスチックまたは紙等からなるものである。また、平たい直方体形状の紙容器に、上記のプラスチックシートを用いた容器が収納されている、二つの容器の組合せが知られている。
【０００３】
この容器の組合せによると、外側の容器を開封した後も、内側の容器により個々の菓子が包装されているため、必要なときに必要な量の菓子を内側の容器から取り出すことができる。そのため、この容器の組合せは、菓子を未開封の状態で長期間保存でき、菓子の購入者の利便性に優れている。
【０００４】
こうした容器の組合せにおいては、外側の容器の一面を開封することにより、内側の容器を外側の容器の開封部からスライドさせて取り出せるようになっているものがある。
【発明の開示】
【発明が解決しようとする課題】
【０００５】
外側の容器の開封後、そうした容器の組合せを鞄や机の引出等の動かされる入れ物に入れておくと、内側の容器が開封部から出てしまう場合がある。これに対し、外側の容器の開封後も、外側の容器から内側の容器が出ないように工夫された容器が知られている。
【０００６】
その容器の組合せは、外側の容器の開封部が、開封する側の面に垂直な四面のうち、三面に繋がっているミシン目を有し、他の一面にミシン目を切断して蓋となった部分を外側に折り安くするための浅い溝や切り込みを有している。この浅い溝は、直方体形状の最も広い二つの面のいずれか一面に有している。そして、外側の容器における浅い溝を有する面と向かい合う面の内側に、開封部側に凸である形状の紙が一枚貼り付けられている。内側の紙の凸部分がミシン目よりも開封部側に出るようにすることにより、貼り付けられた紙の凸部分を外側にし、蓋を内側にして止めることができ、内側の容器が出てくることを防止している。
【０００７】
しかし、この蓋を止めるための凸部分を有する紙を用いるとコストが高くなるという不都合があった。
【０００８】
そこで、本発明の目的は、容器の中に他の容器が収納されている二つの容器の組合せであって、開封後に内側の容器が外側の容器から出ることを防止するとともに、コストを低減した容器の組合せ、およびこの外側の容器を提供することにある。
【課題を解決するための手段】
【０００９】
上記課題を解決する本発明の二つの容器の組合せは、略直方体形状の第一の容器と、前記第一の容器に収納される第二の容器と、からなり、前記第二の容器は、少なくともその一面に凹部を有し、前記第一の容器は、最も大きな面の少なくともいずれか一方が、当該面の一部を内側に折り込むための切り込み部を有し、当該折り込まれた折り込み部が突起として前記第二の容器の凹部に係合することを特徴とする第一の容器と第二の容器との組合せである。
【００１０】
この発明によれば、外側の第一の容器の開封後、切り込み部を切断して第一の容器の一部を折り込むことにより、当該折り込まれた折り込み部が突起として内側の第二の容器の凹部に係合し、前記第二の容器がスライドすることを防止することができる。そのため、鞄等の中で、第一の容器の開封部分から第二の容器が出てしまうことがない。また、このような折り込み部を利用することにより、開封部側の蓋を切り離して蓋以外の部分を持ち歩くことができ、かさばらない。さらに、第一の容器の折り込み部は、第一の容器自体を利用できるので、別個に蓋を止めるための部材を設ける必要がなく、容器を作成するためのコストを低減することができる。また、第二の容器としては、従来の錠剤型の菓子や薬剤などが入った容器をそのまま利用することができる。
【００１１】
上記本発明の容器の組合せにおいて、前記第二の容器は、当該第二の容器の長手方向に対して交差する方向に前記凹部を有し、前記第一の容器における前記折り込み部は、前記第一容器の長手方向に対して交差する方向における両端を含まない位置に設けられることを特徴とする。
【００１２】
この発明によれば、このような方向に第二の容器の凹部および第一の容器の折り込み部が設けられることにより、第二の容器がよりスライドしにくくなる。また、第一の容器の折り込み部が一つの面の両端を含まない位置に設けられることにより、折り込み部の端から第一の容器の他の部分にさらに切り込みが入り、容器が壊れやすくなることが防止できる。
【００１３】
上記本発明の容器の組合せにおいて、前記第一の容器は、最も小さな面のいずれか一方側、または、二番目に小さな面のいずれか一方側が開封可能であり、前記第一の容器における前記折り込み部は、前記第一の容器に前記第二の容器を収納した際に、開封可能とされた側に最も近い前記第二の容器の凹部と係合する位置に設けられることを特徴とする。
【００１４】
この発明によれば、開封可能とされた側に最も近い第二の容器の凹部と係合する位置に第一の容器の折り込み部が設けられることにより、第一の容器の折り込み部を折り込むと、第二の容器の凹部に係合するため、第二の容器の凸部が折り込み部による突起に引っ掛かることになり、開封直後に第二の容器をその位置に止めることができるほか、第二の容器の内容物である菓子等を取り出した後に、より動きにくくなる。
【００１５】
上記本発明の容器の組合せにおいて、前記第一の容器は、最も小さな面のいずれか一方側、または、二番目に小さな面のいずれか一方側が開封可能であり、前記第一の容器は、開封可能とされた側に対して逆向きに凸である形状の前記切り込み部を有していることを特徴とする。
【００１６】
この発明によれば、第一の容器は、開封可能とされた側と逆向きに凸である形状の切り込み部を有していることにより、この部分を折り込んで突起としたときに、第二の容器の凹部を形成する凸部が突起に引っかかりやすく、第二の容器がよりスライドしにくくなる。また、折り込み部がこのような形状であるため、取り出した第二の容器を第一の容器に入れる際、引っかかりにくく、戻しやすくなる。
【００１７】
上記課題を解決する本発明の容器は、少なくとも一面に凹部を有する小型容器を収納する略直方体形状の容器であって、最も大きな面の少なくともいずれか一方は、当該面の一部を内側に折り込むための切り込み部を有し、当該折り込まれた折り込み部が突起として前記小型容器の前記凹部に係合することを特徴とする容器である。
【００１８】
この発明によれば、容器の開封後、切り込み部を切断して容器の一部を折り込むことにより、当該折り込まれた折り込み部が突起として内側の小型容器の凹部に係合し、小型容器がスライドすることを防止することができる。そのため、鞄等の中で、容器の開封部分から小型容器が出てしまうことがない。また、このような折り込み部を利用することにより、開封部側の蓋を切り離して蓋以外の部分を持ち歩くことができ、かさばらない。さらに、容器の折り込み部は、当該容器自体を利用できるので、別個に蓋を止めるための部材を設ける必要がなく、容器を作成するためのコストを低減することができる。
【発明の効果】
【００１９】
本発明の二つの容器の組合せによれば、第一の容器の構成により、第二の容器が外に出ることを防止することができ、この容器の組合せの利用者の利便性が優れたものになる。また、第一の容器は折り込み部を設けた簡易な構成であり、また、第二の容器は従来公知の容器を利用できるため、この容器の組合せの製造コストも低減することができる。
【００２０】
本発明の容器によれば、容器の構成により、小型容器が外に出ることを防止することができ、この容器の利用者の利便性が優れたものになる。また、容器は折り込み部を設けた簡易な構成であるため、この容器の製造コストも低減することができる。
【発明を実施するための最良の形態】
【００２１】
以下に、本発明の容器の組合せおよび容器について、図面を参照して説明する。
【００２２】
なお、図１は、本発明の容器の組合せの使用形態およびその断面を示す図であり、図２乃至図４は、本発明に含まれる第一の容器の各形態を示す図であり、図５は、本発明に含まれる第二の容器の各形態を示す図である。
【００２３】
図１（Ａ）は、容器の組合せの斜視図を示し、図１（Ｂ）は、図１（Ａ）における第一の容器に第二の容器を収納した状態のＸ−Ｘ断面図を示している。この図１（Ａ）および図１（Ｂ）に示すように、本発明の容器の組合せ３０は、略直方体形状の第一の容器１０と、第一の容器１０に収納される第二の容器２０と、からなり、第二の容器２０は、少なくともその一面に凹部２１を有し、第一の容器１０は、最も大きな面１０Ａ、１０Ｂの少なくともいずれか一方１０Ａが、当該面１０Ａの一部を内側に折り込むための切り込み部１１を有し、当該折り込まれた折り込み部１２が突起として第二の容器２０の凹部２１に係合することを特徴とする。
【００２４】
そのため、図１（Ｂ）に示すように、折り込まれた折り込み部１２が突起として第二の容器２０の凹部２１に係合することになり、第一の容器１０の一端を開封した後も、第二の容器２０が開封部１３の方向にスライドして第一の容器１０から出てしまうことが防止される。
【００２５】
なお、本発明においては、第一の容器１０について、直方体の最も長い辺と次に長い辺からなる最も大きな面を、上面１０Ａおよび下面１０Ｂとし、折り込み部１２を設ける側の面を上面１０Ａとする。第一の容器１０の次に大きな面を１０Ｃ、１０Ｄとし、第一の容器１０の最も小さな面を１０Ｅ、１０Ｆとする。また、第一の容器１０において、最も長い辺の方向（長手方向）を横、次に長い辺の方向を縦、最も短い辺の方向を高さ、とする。第二の容器２０においても、第一の容器１０に収納された状態で、第一の容器１０と同様に、横、縦、高さの語を使用する。
【００２６】
まず、第一の容器１０について、図１乃至図４を用いて説明する。
【００２７】
図２（Ａ）は、第一の容器１０の斜視図を示し、図２（Ｂ）は、図２（Ａ）の第一の容器１０のブランク体の図を示す。図３（Ａ）は、他の形態の第一の容器１０のブランク体の図を示し、図３（Ｂ）は、図３（Ｃ）、図４（Ａ）、図４（Ｂ）、図４（Ｃ）は、他の各形態の第一の容器１０の上面図を示す。
【００２８】
第一の容器１０は、通常、直方体形状であり、図１（Ａ）、図２（Ａ）に示すように、最も小さな面１０Ｅ、１０Ｆのいずれか一方１０Ｆ側が開封可能に形成された平たい形状となっている。直方体の各辺の比は、特に限定されず、用途に合わせて適宜設定される。
【００２９】
第一の容器１０の大きさも、特に限定されないが、図２（Ａ）に示すように、直方体の各辺を縦Ｌ、横Ｗ、高さＨ、とすると、通常、縦Ｌ５０〜３００ｍｍ、横Ｗ３０〜２１０ｍｍ、高さＨ７〜７０ｍｍ程度である。
【００３０】
第一の容器１０の材質は、特に限定されないが、通常、紙が用いられる。第一の容器１０に用いられる紙としては、紙単体、紙の表面及び／又は裏面にプラスチックフィルムもしくは金属箔等を積層したもの、紙の表面に印刷がされたもの等が挙げられる。紙としては、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。具体的に、紙の厚さは０．１５〜０．７８ｍｍ程度、秤量値は１６０〜６００ｇ／ｍ2程度である。このような範囲の紙を用いることにより、折り込み部１２により第二の容器２０がスライドすることを防止する機能が向上する。
【００３１】
図２（Ａ）に示す第一の容器１０は、例えば、図２（Ｂ）に示すブランク体１９から作製される。ブランク体１９を紙に設計する際に、特に限定されないが、紙の目の方向が、第一の容器１０における縦方向となることが好ましい。このような構成により、後述する開封用のミシン目１４や切り込み部１１を使用者が切断しやすくなる。
【００３２】
第一の容器１０は、最も小さい面１０Ｅ、１０Ｆのいずれか一方側１０Ｆが開封可能となっている。第一の容器１０の開封可能となっている開封部１３について、説明する。
【００３３】
開封部１３は、言い換えると、第一の容器１０における横方向の一端に設けられる。開封部１３の形態は、特に限定されず、従来公知の形態が適用される。具体的に、開封部１３は、図２（Ａ）、図２（Ｂ）に示すように、上面１０Ａを含む三面１０Ａ、１０Ｃ、１０Ｄにミシン目１４を設け、ミシン目１４により第一の容器１０の三面１０Ａ、１０Ｃ、１０Ｄが切断され、開封されるようになっていることが好ましい。また、第一の容器１０における残る一面も、細かいミシン目１５または浅い溝が設けられており、外側に折ることが可能であるとともに、蓋となる部分１８を切断することが可能になっていることが好ましい。また、使用者による開封し易さの観点から、図１（Ａ）、図２（Ａ）に示すように、ミシン目１４は、直線でなく、上面１０Ａの中央部が開封部１３側に凸な形状になっていてもよい。
【００３４】
また、開封部１３は、図３（Ａ）にブランク体１９を示すように、帯状に切り取るための切り込み線１６が設けられて、最も小さな面１０Ｆを含む蓋部分１８を切り離す構成としてもよい。
【００３５】
なお、開封部１３は、図示しないが、第一の容器１０における二番目に小さな面１０Ｃ、１０Ｄのいずれか一方側に設けられており、より広い面から第二の容器２０を引き出せるようになっていてもよい。
【００３６】
第一の容器１０の折り込み部１２について説明する。
【００３７】
折り込み部１２は、通常、横方向に対して交差する方向に設けられ、横方向に対して垂直方向である縦方向に設けられることが好ましい。
【００３８】
この場合、折り込み部１２は、図１（Ａ）、図２（Ａ）等に示すように、第一の容器１０の上面１０Ａにおける縦方向の一部分に設けてもよいし、図３（Ｂ）に上面図を示すように、第一の容器１０の上面１０Ａにおける縦方向全体に設けてもよい。後者のように折り込み部１２を縦方向全体に設けることにより、第二の容器２０がスライドすることを防止しやすく、また、内容物がガムであり、ガム用の捨て紙を第一の容器１０に同封したときに、第二の容器２０とともに捨て紙を取り出すことができる。しかしながら、折り込み部１２を縦方向全体に設けると、一度取り出した第二の容器２０を第一の容器１０に戻しにくい場合があるため、折り込み部１２を縦方向の一部分に設けることが好ましい。
【００３９】
また、折り込み部１２は、図３（Ｂ）および図３（Ｃ）に上面図を示すように、上面１０Ａの隣面１０Ｄ側の一端（辺）に接して設けることができる。しかしながら、折り込み部１２が辺に接していると、接した部分の切り込み部分から隣の面１０Ｄ等が破断していく場合があるため、折り込み部１２は、図１（Ａ）、図２（Ａ）等に示すように、上面１０Ａの隣面１０Ｃ、１０Ｄと接する両端（辺）を含まない位置に設けることが好ましい。
【００４０】
折り込み部１２の縦方向の位置は、図１（Ａ）、図２（Ａ）、図３（Ａ）等において上側としているが、特に限定されず、中心や下側とすることもできる。
【００４１】
折り込み部１２の横方向の位置は、図１（Ａ）、図１（Ｂ）、図２（Ａ）等に示すように、最も開封部１３に近い第二の容器２０の凹部２１と、折り込み部１２を折り込んだ際の突起が係合する位置とすることが好ましい。この位置に折り込み部１２を設けることにより、第二の容器２０の凹部２１が複数ある場合に、第二の容器２０における開封して内容物を取り出した部分を切り離し、次に開封部１３に近い凹部２１に切り込み部１２による突起を係合させることにより、いつでも開封部１３の近くに第二の容器２０の内容物が入った部分を保持できる。
【００４２】
なお、折り込み部１２の横方向の位置は、図３（Ａ）に示すように、開封部１３から離れた位置に有する第二の容器２０の凹部２１と、折り込み部１２による突起が係合する位置とすることもできる。
【００４３】
折り込み部１２の横方向の位置は、折り込み部１２を第一の容器１０の内側に折り込んだ際に、第二の容器２０の凹部２１に係合する位置とする必要があり、各凹部２１の間の凸部の位置とすると、折り込み部１２を折り込みにくく、上述の効果が得られにくくなる。
【００４４】
折り込み部１２の個数は、図２（Ａ）、図３（Ａ）等に示すように、第一の容器１０に一つ設けることが好ましい。折り込み部１２を一つ設けることにより、第二の容器２０が移動（スライド）することを予防することができる。また、折り込み部１２が一つであると、意匠性がよく、第一の容器１０の強度も十分に確保できる。なお、折り込み部１２の個数は、図示しないが、第一の容器１０に複数設けることもできる。折り込み部１２を複数設けることにより、第二の容器２０が移動（スライド）することをしっかりと予防することができる。
【００４５】
折り込み部１２の折り込む向きは、図１（Ａ）、図２（Ａ）等に示すように、横方向の開封部１３を有する側に折り線１７を設け、逆向きに凸である形状の切り込み部１１を設けることにより、開封部１３を有する側に折り込む形態となっていることが好ましい。この構成により、収納する第二の容器２０がスライドすることをより防止することができる。
【００４６】
なお、折り込み部１２の折り込む向きは、横方向の開封部１３を有しない側に折り線１７を設けることにより、開封部１３を有しない側に折り込むこともできる。また、折り込み部１２の折り込む向きは、折り込み部１２における縦方向のいずれかの側に折り線１７を設けることにより、第二の容器２０のスライド方向垂直に折り込むこともできる。しかしながら、この場合、第二の容器２０を第一の容器１０から取り出す際に、折り込み部１２が引っ掛かり、取り出しにくい場合がある。
【００４７】
次いで、折り込み部１２の形状について説明する。
【００４８】
折り込み部１２は、例えば、図１（Ａ）および図２（Ａ）に示すように、山折りすることになる直線状の折り線１７と、折り込み部１２となる突起形状に切り込まれた切り込み部１１とからなる。
【００４９】
折り込み部１２の折り線１７は、例えば、深さ１０〜６３μｍ程度の溝からなる。そして、折り線１７の両端から凸形状の切り込み部１１が設けられる。
【００５０】
切り込み部１１の端部１１Ａについて説明する。切り込み部１１の両端であり、折り線１７との境目１１Ａは、図３（Ａ）、図３（Ｂ）、図３（Ｃ）、図４（Ａ）、図４（Ｂ）等に示すように、直線が途切れた形状とすることもできるが、図１（Ａ）、図２（Ａ）、図４（Ｃ）等に示すように、径１ｍｍ程度の鉤（かぎ）型の曲線（半円）とすることが好ましい。切り込み部１１の端１１Ａを鉤型に形成することにより、折り込み部１２を折り込んだ場合に鉤型の部分が浮き上がり、この先端部分１１Ａから上面１０Ａの他の部分に切り込みが入ることが防止される。
【００５１】
切り込み部１１の他の部分について説明する。切り込み部１１は、端部１１Ａから開封部１３を有しない側に向けて、図１（Ａ）、図２（Ａ）、図３（Ｃ）、図４（Ａ）のように縦方向に対して略平行に直線にした形状、図３（Ａ）、図４（Ｂ）、図４（Ｃ）のように縦方向に対して開いた方向に直線にした形状、図３（Ｂ）のように縦方向に対して閉じた方向に直線にした形状、のように種々の形状とすることができる。また、切り込み部１１における折り線１７に対向する部分は、図１（Ａ）をはじめとしていずれも折り線１７を有しない側に凸な曲線となっている。この形状により、容器の組合せ３０の使用者が、折り込み部１２を指で押しやすくなり、また、第二の容器２０の凹部に係合しやすくなる。しかしながら、切り込み部１１における折り線１７に対向する部分は、図示しないが、折り線１７に平行な直線であってもよいし、他の曲線となっていてもよい。
【００５２】
折り込み部１２の折り線１７に対する垂直方向の長さは、第一の容器１０の高さＨよりも若干短く設計する。この構成により、折り込み部１２と第二の容器２０の凹部２１とが係合し易くなるとともに、使用者が第一の容器１０から第二の容器２０を取り出す場合にも、軽い力で取り出すことができる。
【００５３】
また、開封部１３が、上記したように、第一の容器１０における二番目に小さな面１０Ｃ、１０Ｄのいずれか一方側に設けられた場合には、折り込み部１２は、第一の容器１０に第二の容器２０を収納した際に、開封可能とされた側１０Ｃまたは１０Ｄに最も近い第二の容器の凹部と係合する位置に設けられることが好ましい。同様の場合、第一の容器１０は、開封可能とされた側１０Ｃまたは１０Ｄに対して逆向きに凸である形状の切り込み部１１を有していることが好ましい。
【００５４】
なお、以上において、第一の容器１０は直方体形状として説明したが、本発明においては、略直方体形状であればよい。例えば、第一の容器１０は、図１（Ａ）における第一の容器１０の開封部１３の蓋となる部分１８が切り離された形状であってもよいし、上面１０Ａ、隣り合う面１０Ｃ、１０Ｄ、下面１０Ｂ等が折り線で明確に分かれておらず、上面１０Ａ、隣り合う面１０Ｃ、１０Ｄおよび下面１０Ｂが楕円形の筒状である形状であってもよい。
【００５５】
次いで、第二の容器２０について図５を用いて説明する。
【００５６】
図５（Ａ）は、第二の容器２０の上面図を示し、図５（Ｂ）は、図５（Ａ）における第二の容器のＹ−Ｙ断面図を示している。図５（Ｃ）および図５（Ｄ）は、第二の容器２０の他の形態の上面図を示す。
【００５７】
第二の容器２０としては、通常、錠剤型のガムや飴、チョコレートなどの菓子、錠剤型の薬剤等が入れられる、従来公知の容器が用いられる。
【００５８】
この第二の容器２０は、図５（Ａ）の上面図と図５（Ｂ）および図１（Ｂ）の断面図に示すように、平面状のプラスチックシート２２に凹んでいる収納部２３を設けて当該収納部２３に内容物を収納し、当該収納部２３にシート状の蓋材２５を設けたものである。本発明においては、第二の容器２０を、内容物を収納する側の逆側から見て、収納部２３の最も凹んだ面２４に対し、溝等の凹部になっている部分２１を凹部２１として説明する。
【００５９】
第二の容器２０の大きさは、第一の容器１０に入る大きさで有ればよく、特に限定されない。
【００６０】
第二の容器２０の形状は、図１（Ａ）および図５（Ａ）に示すように、内容物の収納部２３が、略長方形であり、３×４の１２個入る形状とすることができる。また、第二の容器２０の形状は、図５（Ｂ）に示すように、内容物の収納部２３が、略長方形であり、１×４の４個入る形状とすることもできる。さらに、第二の容器２０の形状は、図５（Ｃ）に示すように、内容物の収納部２３が、円形であり、３×６の１８個入る形状とすることもできる。このように、第二の容器２０は、内容物の収納部２３の間に内容物を収納する側の逆側から見た凹部２１を有していれば、収納部２３を長方形、正方形、他の四角形、円形、楕円形等、内容物の形状に合わせて種々の形状とすることができ、設けられる個数も特に限定されない。また、図５（Ａ）、図５（Ｂ）、図５（Ｃ）に示すように、第二の容器２０には、各収納部２３の間に、切取線２６を設けることもできる。
【００６１】
なお、第二の容器２０における凹部２１は、第一の容器１０における横方向に対し、交差する方向、特に垂直方向に連続する凹部２１または溝２１であることが好ましい。この構成により、第二の容器２０を上述の第一の容器１０に入れた場合に、折り込み部１２が凹部２１に係合し、第二の容器２０が動くことを防止することができる。
【００６２】
第二の容器２０の材質および製造方法としては、プラスチックシート２２から真空成形等により作られるもの、射出成形により作られるものがあり、いずれの製法によるものでもよい。射出成形法による成形の場合には、ポリエチレン、ポリスチレン、ポリプロピレン、等の汎用樹脂を使用できる。シートからの成形法による成形法の場合には、その材質としてはポリエチレン、ポリスチレン、ポリプロピレン、ポリエステル、ポリアミド、ポリカーボネート、ポリ塩化ビニル等からなるシート、または、これらのシートの２種以上を積層したシートを用いてもよい。前記各シートに、塩化ビニリデンのようなバリアコートを塗布し、または／および、アルミニウム、酸化アルミニウム、酸化ケイ素などの無機物や無機酸化物等を蒸着して、バリヤー性などの物性を改良したシートとしてもよい。また、各種の樹脂を用いて製膜して積層する方法に対して、前記各種の樹脂を共押出方式により製膜する多層シートであってもよい。内容物の防湿性、保香性、ガスバリヤー性などが要求される場合は、成形性と内容物の物性と必要とする流通期間から、多くのケースにおいては、種々の物性のシートを積層できることから、前記のシート成形法により、多層のシートを成形する方法が好適に使用できる。
【００６３】
また、第二の容器２０は、内容物の種類、量により適当な形状および深さに成形するが、その周縁部および本発明における凹部２１となる部分には、蓋材２５をヒートシール等するためのフランジ部２７を設ける。該フランジ部２７の巾は、２〜５ｍｍの範囲が一般的である。
【００６４】
第二の容器２０は、上記のプラスチック製の容器２２に内容物を収納し、プラスチック製の容器のフランジ部２７に蓋材２５となるシートを貼り付ける。シート２５の材質は、特に限定されないが、アルミ箔等の金属、紙、ポリプロピレン等のプラスチック等の材料からなるシートが好ましく用いられ、これらのシートには、上述のプラスチック製の容器と同様に、他の層や膜を形成して機能を持たせてもよい。
【００６５】
上述した第一の容器１０と第二の容器２０との組合せ３０は、上述の構成により、第一の容器１０から第二の容器２０がスライドして出てしまうことを防止できる。なお、第一の容器１０における折り込み部１２の形態は、上述したように様々な形態とすることができるが、折り込み部１２を折り込んだときに、第二の容器２０における凹部２１に係合するように設ければよく、その形態は限定されるものではない。
【００６６】
容器の組合せ３０の内容物としては、特に限定されないが、第二の容器２０について説明したように、ガム、飴、チョコレート等の菓子や薬剤等の錠剤の形状をしたものが挙げられる。なお、内容物がガムである場合には、噛んだ後のガムを捨てるための捨て紙を第一の容器１０に第二の容器２０と同封することができる。
【００６７】
また、第一の容器１０が紙製、第二の容器２０がプラスチック製であることにより、使用者が第一の容器１０から第二の容器２０を取り出す際、折り込み部１２の紙が第二の容器２０のプラスチック材料をはじいて、カチカチと音が鳴るため、使用者が楽しく感じられる。
【００６８】
上記本発明の第一の容器１０と第二の容器２０との組合せ３０において、第一の容器１０は、第二の容器２０である小型容器を収納する本発明の容器となる。
【実施例】
【００６９】
以下に、実施例を参照して本発明を説明する。
【００７０】
図２（Ｂ）に示したブランク体１９を用い、図２（Ａ）に示す第一の容器１０を組み立てた。なお、後述するように第一の容器１０の中に後述する第二の容器２０を収納できるよう、第一の容器１０の最も小さい各面１０Ｅ、１０Ｆは開封しておいた。
【００７１】
組み立てられた第一の容器１０は、縦Ｌ６３ｍｍ、横Ｗ１１４ｍｍ、高さＨ１１ｍｍの直方体であった。最も大きな面の一方（上面）１０Ａにおいて、横方向の一端から１６．５ｍｍの位置に開封用のミシン目１４が形成されている。このミシン目１４の中央から各１０ｍｍの位置は、上記開封部１３側に凸な形状になっている。また、このミシン目１４の両端から、各隣の面１０Ｃ、１０Ｄにおいて、同様の横方向の開封部１３側から８ｍｍの位置に向かって斜めに開封用のミシン目１４が形成されている。さらに、他の最も大きな面（下面）１０Ｂにおいて、これらのミシン目１４の両端を繋ぐ細かいミシン目１５が形成されており、この下面１０Ｂのミシン目１５により、折りやすく、また、切り離し可能となっている。
【００７２】
また、上面のミシン目１４から、開封部１３を有しない方向に向かって１０ｍｍの位置に、折り込み部１２が設けられている。折り込み部１２は、開封部１３側に２５μｍ程度の溝からなる折り線１７を有し、この溝により折りやすくなっている。この溝の両端１１Ａは直径１ｍｍのかぎ状に切り込まれており、溝を有しない他端が凸形状を描いて繋がっており、ミシン目１１となっている。この折り込み部１２は幅が１０ｍｍ、折り線１７の長さが２５ｍｍ程度で、開封部１３に向かって右側の端から１０ｍｍ程度離れている。
【００７３】
また、図５（Ａ）に示すような第二の容器２０を作製した。この第二の容器２０は、縦６０ｍｍ、横１１０ｍｍ、高さ７．２５ｍｍであり、縦に幅６ｍｍ、高さ６．５ｍｍの溝２１を等間隔で３本有し、横に幅５ｍｍ、高さ６．５ｍｍの溝を等間隔で２本有する。この各溝の間の１２個の凸部が、裏側から個々の内容物を入れられる収納部２３となっている。第二の容器２０は、金属製のシートが蓋材２５となり、裏側に当該シート２５を貼り付けている。１２個の凸部は、裏側から蓋材を破って開封可能である容器となっている。第二の容器２０の内容物として、２０ｍｍ×１３ｍｍ×６．５ｍｍ程度の大きさのガムを１２個入れた。
【００７４】
第一の容器１０の最も小さい面１０Ｅ、１０Ｆのいずれか一方から第二の容器２０を収納して、最も小さい各面１０Ｅ、１０Ｆを貼り付けることにより固定し、容器の組合せ３０の実施例を作製した。
【００７５】
ミシン目１４を切り離して第一の容器１０を開封し、第一の容器１０の切り込み部１１を切り離して折り線１７を折り、折り込み部１２を突起として、第二の容器２０の最も開封部１３よりの溝２１に係合させた。
【００７６】
第一の容器１０のミシン目１５を切ることにより、蓋部分１８を切り離した。第一の容器１０の開封部１３を横向き、および下向きにして振ったが、第一の容器１０から第二の容器２０はでてこなかった。
【図面の簡単な説明】
【００７７】
【図１】本発明の容器の組合せの使用形態およびその断面を示す図である。
【図２】本発明に含まれる第一の容器の各形態を示す図である。
【図３】本発明に含まれる第一の容器の他の各形態を示す図である。
【図４】本発明に含まれる第一の容器のさらに他の各形態を示す図である。
【図５】本発明に含まれる第二の容器の各形態を示す図である。
【符号の説明】
【００７８】
１０  第一の容器
１１、１１Ａ  切り込み部
１２  折り込み部
１３  開封部
１４、１６  開封用切り込み線
１５、１６  開封部切断用切り込み線
１７  折り線
１８  蓋
１９  第一の容器のブランク体
２０  第二の容器
２１  凹部
２２  プラスチックシート
２３  収納部
２４  凹部の基準面
２５  蓋材
２６  切取線
２７  フランジ部
３０  容器の組合せ
【図１】
2006151424.tif 000003
【図２】
2006151424.tif 000004
【図３】
2006151424.tif 000005
【図４】
2006151424.tif 000006
【図５】
2006151424.tif 000007